(57)【要約】【課題】呼制御プロトコルを利用してデータ通信を行う通信装置において、複数の通信装置間でＩＰ電話番号等のアカウント情報の変更をリモート操作で円滑に行うことを可能とする通信装置を提供すること。【解決手段】ＳＩＰを利用してデータ通信を行う通信装置において、アカウント情報の指定を受付ける受付手段と、指定されたアカウント情報が登録されている装置１Ｂの位置情報をＳＩＰサーバ２１に要求する位置情報要求手段と、ＳＩＰサーバ２１から受信した位置情報の装置１Ｂに対してアカウント情報の変更を要求する変更要求手段と、を備える通信装置１Ａ。【選択図】図４
2006100967.tif 000002
【特許請求の範囲】
【請求項１】
呼制御プロトコルを利用してデータ通信を行う通信装置において、アカウント情報の指定を受付ける受付手段と、指定されたアカウント情報が登録されている装置の位置情報をサーバ装置に要求する位置情報要求手段と、前記サーバ装置から受信した位置情報の装置に対してアカウント情報の変更を要求する変更要求手段と、を備えることを特徴とする通信装置。
【請求項２】
呼制御プロトコルを利用してデータ通信を行う通信装置において、アカウント情報の指定を受付ける受付手段と、指定されたアカウント情報を自装置に登録することをサーバ装置に要求する登録要求手段と、前記サーバ装置から前記登録要求手段により要求した前記アカウント情報の登録を認めないことを示す応答を受信した場合に、前記指定されたアカウント情報が登録されている装置の位置情報をサーバ装置に要求する位置情報要求手段と、前記サーバ装置から受信した位置情報の装置に対してアカウント情報の変更を要求する変更要求手段と、を備えることを特徴とする通信装置。
【請求項３】
呼制御プロトコルを利用してデータ通信を行う通信装置において、自装置に登録されているアカウント情報の変更要求を他の装置から受信した場合に、その旨の情報を出力するとともに、前記変更要求に従うか否かの指定を受付ける受付手段と、指定された結果を前記他の装置へ送信する手段と、を備えることを特徴とする通信装置。
【請求項４】
前記受付手段が前記変更要求に従うべき指定を受付けた場合、自装置に登録されているアカウント情報の変更又は削除をサーバ装置に要求する手段を更に備えることを特徴とする請求項３記載の通信装置。
【発明の詳細な説明】
【技術分野】
【０００１】
本発明は、ＳＩＰ（Session  Initiation  Protocol）等の呼制御プロトコルを利用して、データ通信を行う通信装置に関し、特に、複数の通信装置間でＩＰ電話番号等のアカウント情報の変更を円滑に行う通信装置に関する。
【背景技術】
【０００２】
近年、ＩＰ網を通じて音声データ、画像データ等のデータ通信を行う通信装置が普及しつつある。例えば特許文献１に開示されている通信装置は、ＩＴＵ−Ｔ勧告Ｔ．３８に準拠したＩＰファクシミリ通信機能を備え、ＩＰ網を通じて、音声データや画像データを送受信することができる。
【０００３】
ＩＰ網を通じてデータ通信を行えば、電話回線を通じてデータ通信を行うよりも格段に通信費を安く抑えることができることから、近年、企業等では通信コストの削減を目的としてＩＰ網を通じてデータ通信を行う通信装置（以下「ＩＰ通信装置」ともいう。）を導入する傾向にある。
【０００４】
複数のＩＰ通信装置を所有する企業等において座席替えを行う場合、ＩＰ通信装置のＩＰ電話番号は、座席替え後も引き続き同じユーザに使用されることが望ましい。したがって、ＩＰ通信装置をユーザと一緒に移動するか、あるいは、ユーザの移動先に設置されているＩＰ通信装置のＩＰ電話番号を当該ユーザが移動前に使用していたＩＰ通信装置のＩＰ電話番号に変更することが必要となる。例えば、建物２階にある営業部と建物５階にある開発部の座席の入替えを行う場合、営業部に設置されていたＩＰ通信装置と開発部に設置されていたＩＰ通信装置を移動して入替えるか、ＩＰ通信装置は移動せずにそのままにしておき、それぞれのＩＰ通信装置に登録されているＩＰ電話番号のみを入替える必要がある。ＩＰ通信装置がファクシミリ複合機などのように、大型の装置であり、移動作業が大変な場合は、ＩＰ通信装置を移動せず、それぞれのＩＰ通信装置に登録されているＩＰ電話番号を入替えることが望ましい。
【０００５】
【特許文献１】特開２００２−１０１２５６号公報
【発明の開示】
【発明が解決しようとする課題】
【０００６】
一方のＩＰ通信装置に登録されているＩＰ電話番号を他方のＩＰ通信装置に登録されているＩＰ電話番号に変更するには、前もって他方のＩＰ通信装置のＩＰ電話番号の登録が削除された上で行われる必要がある。したがって、他方のＩＰ通信装置のＩＰ電話番号の登録が削除されていないことにより、一方のＩＰ通信装置がＩＰ電話番号の変更登録に失敗した場合は、一方のＩＰ通信装置のユーザは、他方のＩＰ通信装置のユーザ等と連絡を取ってＩＰ電話番号の削除変更を依頼しなければならず煩わしいという問題があった。
【０００７】
また、多数のＩＰ通信装置間でＩＰ電話番号の入替えを行う際に、登録済みのＩＰ電話番号がどのＩＰ通信装置に割り当てられているのかを容易に把握できず、ＩＰ電話番号の削除変更を依頼すべき相手を見つけ難いという問題もあった。
【０００８】
本発明は、かかる事情に鑑みてなされたものであり、呼制御プロトコルを利用してデータ通信を行う通信装置において、複数の通信装置間でＩＰ電話番号等のアカウント情報の変更をリモート操作で円滑に行うことを可能とする通信装置を提供することを目的とする。
【課題を解決するための手段】
【０００９】
上記目的を達成するために、請求項１記載の通信装置は、呼制御プロトコルを利用してデータ通信を行う通信装置において、アカウント情報の指定を受付ける受付手段と、指定されたアカウント情報が登録されている装置の位置情報をサーバ装置に要求する位置情報要求手段と、前記サーバ装置から受信した位置情報の装置に対してアカウント情報の変更を要求する変更要求手段と、を備えることを特徴としている。
【００１０】
請求項２記載の通信装置は、呼制御プロトコルを利用してデータ通信を行う通信装置において、アカウント情報の指定を受付ける受付手段と、指定されたアカウント情報を自装置に登録することをサーバ装置に要求する登録要求手段と、前記サーバ装置から前記登録要求手段により要求した前記アカウント情報の登録を認めないことを示す応答を受信した場合に、前記指定されたアカウント情報が登録されている装置の位置情報をサーバ装置に要求する位置情報要求手段と、前記サーバ装置から受信した位置情報の装置に対してアカウント情報の変更を要求する変更要求手段と、を備えることを特徴としている。
【００１１】
請求項３記載の通信装置は、呼制御プロトコルを利用してデータ通信を行う通信装置において、自装置に登録されているアカウント情報の変更要求を他の装置から受信した場合に、その旨の情報を出力するとともに、前記変更要求に従うか否かの指定を受付ける受付手段と、指定された結果を前記他の装置へ送信する手段と、を備えることを特徴としている。
【００１２】
請求項４記載の通信装置は、請求項３記載の通信装置において、前記受付手段が前記変更要求に従うべき指定を受付けた場合、自装置に登録されているアカウント情報の変更又は削除をサーバ装置に要求する手段を更に備えることを特徴としている。
【発明の効果】
【００１３】
請求項１記載の通信装置によれば、請求項３又は４記載の通信装置に対してリモート操作でアカウント情報の変更を要求することができるので、これら通信装置間でアカウント情報の変更を円滑に行うことができる。また、従来、相手通信装置の設置場所が不明であり、なお且つ、その装置がＩＰ電話機能を有しない場合は、相手通信装置のユーザと連絡をとれず、アカウントの変更依頼を行うことが困難となることもあったが、本発明によれば、そのような場合であっても相手通信装置に対して確実にアカウントの変更要求を行うことができる。
【００１４】
請求項２記載の通信装置は、サーバ装置に要求したアカウント情報の登録が拒否された場合に、自動的に、当該アカウント情報が登録されている通信装置に対してアカウント情報の変更を要求するので、登録を拒否されたアカウント情報を再度指定するために行わなければならないユーザの操作を省くことができる。
【００１５】
請求項４記載の通信装置は、変更要求に従うべき指定を受付けた場合に、自動的に、自装置に登録されているアカウント情報の変更又は削除をサーバ装置に要求するので、通信装置のユーザが当該変更又は削除をサーバ装置に要求するために必要な操作を省くことができる。
【発明を実施するための最良の形態】
【００１６】
以下本発明の第１の実施の形態に係る通信装置として、呼制御プロトコルを利用して原稿の画像データを送受信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。なお、本発明は、ＩＰファクシミリ通信機能を有するファクシミリ装置であれば、Ｇ３ファクシミリ通信機能、前記ファクシミリサーバ機能等を有しないファクシミリ装置であっても適用可能である。
【００１７】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１８】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、ＩＰ電話番号のリストが記憶されている。該リストに含まれるＩＰ電話番号は、ＳＩＰサーバ装置（以下「ＳＩＰサーバ」という。）が管理するＩＰ電話番号であり、操作部１２の所定操作によりＳＩＰサーバからダウンロードすることができるようになっている。
【００１９】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００２０】
読取部９は、原稿の画像データを読取るものであり、例えば、ＣＣＤカラーラインセンサ、Ａ／Ｄコンバータ、画像処理回路等で構成される。記録部１０は、受信画像データ、読取部９で読取った画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、スタートキー、文字入力キー、ファンクションキーなど各種の操作キーを具備し、ユーザによる各種の操作は、この操作部１２において行われる。
【００２１】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ１７、ルータ１８等と通信を行う。更にはルータ１８を通じてＩＰ網１９上にある、ＳＩＰを実装した通信装置２０とデータ通信を行う。
【００２２】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）などを実装して、ＳＩＰによりメディアセッションを確立した上で、例えばＲＴＰにより原稿の画像データを相手先と送受信したり、ＳＩＰメソッド「ＭＥＳＳＡＧＥ」などを利用して相手先とテキストデータの送受信を行う機能を備える。また、ファクシミリ装置１は、ＳＩＰサーバに対してＳＩＰサーバが管理するＩＰ電話番号のリストを要求し、受信したＩＰ電話番号のリストの内容に、予めＲＡＭ４に所持しているＩＰ電話番号のリストを更新する機能を備える。
【００２３】
上記構成及び機能を備えるファクシミリ装置１において、ＩＰ電話番号の登録処理等が行われる際に実行される処理動作について図２に示すフローチャートに基づいて説明する。なお、以下のフローチャートに基づいて説明するファクシミリ装置１の処理動作は、ＲＯＭ３に格納された制御プログラムに基づいて制御手段であるＣＰＵ２が発行する命令に従って実行される。
【００２４】
ファクシミリ装置１の操作部１２において、ＩＰ電話番号を登録するための所定操作がなされると、ＲＡＭ３に記憶しているＩＰ電話番号のリストを例えば表示部１１で表示することにより出力する（Ｓ１）。ファクシミリ装置１のユーザが出力されたＩＰ電話番号のリストを参照し、操作部１２が操作されて何れかのＩＰ電話番号が選択指定されると、ファクシミリ装置１はこれを受付け（Ｓ２：ＹＥＳ）、選択指定されたＩＰ電話番号を自装置１に登録することをＳＩＰサーバに要求する（Ｓ３）。要求は、例えばその旨を示す情報をＳＩＰサーバに送信することにより行われる。
【００２５】
ＩＰ電話番号の登録の要求を受けたＳＩＰサーバは、登録を要求されたＩＰ電話番号が既にその他の装置に登録されていないかを自サーバが管理しているＩＰ電話番号の管理テーブルを参照して判断し、登録を要求されたＩＰ電話番号が既に何れかの装置に登録されている場合には、要求された登録を拒否し、その旨をファクシミリ装置１に対して通知する。一方、登録を要求されたＩＰ電話番号が何れの装置にも登録されていない場合には、要求されたＩＰ電話番号をファクシミリ装置１に対して登録し、登録処理が完了した旨の通知をファクシミリ装置１に対して行う。
【００２６】
ファクシミリ装置１は、ＩＰ電話番号の登録の要求に対する応答をＳＩＰサーバから受信し、それが要求したＩＰ電話番号の登録が完了した旨の通知である場合は（Ｓ４：ＹＥＳ）、選択指定されたＩＰ電話番号の登録が完了した旨を示す情報を、例えば表示部１１に表示することにより、ファクシミリ装置１のユーザに報知する（Ｓ５）。
【００２７】
一方、ファクシミリ装置１が、ＩＰ電話番号の登録の要求に対する応答をＳＩＰサーバから受信し、その応答が、要求したＩＰ電話番号が他の装置に登録されているため、登録が認めないことを示すものである場合は（Ｓ４：ＮＯ）、要求したＩＰ電話番号の登録が認められなかった旨を示す情報を、例えば表示部１１に表示することにより、ファクシミリ装置１のユーザに報知する。同時に、その他のＩＰ電話番号の登録を要求するか否かの指定をファクシミリ装置１のユーザに要求する情報を表示部１１に表示する（Ｓ６）。ユーザに要求する前記情報としては、例えば、「指定されたＩＰ電話番号の登録が認められませんでした。その他のＩＰ電話番号の登録を要求しますか？」などのメッセージを表示部１１に表示する。
【００２８】
ユーザが、その他のＩＰ電話番号の登録を要求すべきことを指定する操作があった場合は（Ｓ７：ＹＥＳ）、ＲＡＭ３に記憶しているＩＰ電話番号のリストから前記Ｓ２で選択されたＩＰ電話番号を除いたＩＰ電話番号のリストを例えば表示部１１に表示することにより出力する（Ｓ８）。そして、ファクシミリ装置１のユーザが表示出力されたＩＰ電話番号のリストを参照し、操作部１２が操作されて何れかのＩＰ電話番号が選択指定されると（Ｓ９：ＹＥＳ）、処理をＳ３に戻して、指定されたＩＰ電話番号を自装置１に登録することをＳＩＰサーバに要求し、上述した一連の処理動作を再度実行する。このように、Ｓ９において、既に登録を拒否されたＩＰ電話番号の選択指定ができないようになっていることから、誤って登録を拒否されたＩＰ電話番号を２度選択し、無駄な処理を繰り返すことが未然に防止される。
【００２９】
一方、前記Ｓ７において、その他のＩＰ電話番号の登録を要求しないことを指定する操作があった場合は（Ｓ７：ＮＯ）、一連の処理動作を終了する。
【００３０】
つぎに、ファクシミリ装置１がＩＰ電話番号を指定してそのＩＰ電話番号が登録されている装置の位置情報をＳＩＰサーバに要求する際の処理動作を図３に示すフローチャートに基づいて説明する。
【００３１】
ファクシミリ装置１の操作部１２において、他のファクシミリ装置の位置情報を要求する処理を開始するための所定操作が行われると、ＲＡＭ３に記憶しているＩＰ電話番号のリストを例えば表示部１１に表示することにより出力する（Ｓ５１）。ファクシミリ装置１のユーザが出力されたＩＰ電話番号のリストを参照し、操作部１２が操作されて何れかのＩＰ電話番号が選択指定されると、ファクシミリ装置１はこれを受付け（Ｓ５２：ＹＥＳ）、選択指定されたＩＰ電話番号が登録された装置の位置情報をＳＩＰサーバに要求する（Ｓ５３）。要求は、例えばその旨を示す情報をＳＩＰサーバに送信することにより行われる。
【００３２】
前記位置情報の要求を受けたＳＩＰサーバは、指定されたＩＰ電話番号の位置情報を自サーバが管理しているＩＰ電話番号と位置情報の対応テーブルから読みだし、これをファクシミリ装置１に対して通知する。ここで、位置情報は、ＩＰアドレスなどのように直接的に装置のネットワーク上の位置を特定できるもののほか、間接的に装置のネットワーク上の位置を特定できる情報であってもよい。例えば、ファクシミリ装置１に、オーナ名称とＩＰアドレスの対応表を持たせておき、ＳＩＰサーバからファクシミリ装置１へ間接的にネットワーク上の位置を特定できる情報としてオーナ名称が送信すれば、これを受信したファクシミリ装置１は、対応表に基づきオーナ名称に対応するＩＰアドレスを位置情報として取得できる。
【００３３】
ファクシミリ装置１が、Ｓ５３で要求した位置情報に対する応答をＳＩＰサーバから受信しなかった場合は（Ｓ５４：ＮＯ）、エラー情報を例えば表示部１１に表示することにより出力する（Ｓ５５）。例えば「応答がありません。」などのメッセージを表示部１１に表示する。
【００３４】
ファクシミリ装置１が、Ｓ５３で要求した位置情報に対する応答をＳＩＰサーバから受信した場合（Ｓ５４：ＹＥＳ）、受信した位置情報を、例えば表示部１１に表示することにより出力するとともに、当該位置情報の装置に対してＩＰ電話番号の変更要求を行うか否かの指定をユーザに要求する情報を表示部１１に表示することにより出力する（Ｓ５６）。例えば、「ＩＰ電話番号０５０−１１１−２２２が登録されている装置に対して、ＩＰ電話番号の変更要求を行いますか？はい、いいえを選択して下さい。」などのメッセージを表示部１１に表示する。
【００３５】
ファクシミリ装置１のユーザにより、ＩＰ電話番号の変更要求を行わないことを指定する操作があった場合は（Ｓ５７：ＮＯ）、一連の処理動作を終了する。一方、ＩＰ電話番号の変更要求を行うことを指定する操作があった場合は（Ｓ５７：ＹＥＳ）、ＲＡＭ３に記憶しているＩＰ電話番号のリストから前記Ｓ５３で選択されたＩＰ電話番号を除いたＩＰ電話番号のリストを例えば表示部１１に表示することにより出力する（Ｓ５８）。
【００３６】
そして、ファクシミリ装置１のユーザの所定操作により、出力されたＩＰ電話番号の何れかが代替候補として選択指定されると（Ｓ５９：ＹＥＳ）、前記Ｓ５４で受信した位置情報の装置に対してＩＰ電話番号の変更を要求するとともに、選択指定されたＩＰ電話番号の代替候補を送信する（Ｓ６０）。
【００３７】
そして、前記Ｓ６０でＩＰ電話番号の変更要求を送信した相手から応答メッセージを受信した場合は（Ｓ６１：ＹＥＳ）、受信した応答メッセージを例えば表示部１１へ表示することにより出力する（Ｓ６２）。一方、相手装置から応答メッセージを受信しなかった場合は（Ｓ６１：ＮＯ）、エラー情報を例えば表示部１１への表示により出力する（Ｓ６３）。例えば、「相手装置から応答がありません。相手装置が、本機能に対応していない可能性があります。」などの情報を表示部１１に表示する。
【００３８】
次に、図４のシーケンス図に基づいて、一方のファクシミリ装置１が他方のファクシミリ装置１に対してＩＰ電話番号の変更を要求する際に形成される手順の一例を説明する。なお、説明の便宜のため、ＩＰ電話番号の変更を要求する側のファクシミリ装置１をファクシミリ装置１Ａ、ＩＰ電話番号の変更を要求される側のファクシミリ装置１をファクシミリ装置１Ｂと称して説明する。
【００３９】
ファクシミリ装置１Ａにおいて、該装置１Ａに登録されているＩＰ電話番号である「０５０−１１１−１１１１」の登録を削除するための所定操作がなされると、ファクシミリ装置１Ａは、ＳＩＰサーバ２１に対してＩＰ電話番号「０５０−１１１−１１１１」の登録の削除を要求し（Ｔ１）、ＳＩＰサーバ２１は、ＳＩＰサーバ２１自身が管理するＩＰ電話番号の管理テーブルからファクシミリ装置１Ａに登録しているＩＰ電話番号「０５０−１１１−１１１１」の登録を削除し、ファクシミリ装置１Ａに対して、登録の削除処理が完了した旨の情報を通知する（Ｒ１）。なお、ファクシミリ装置１Ａが新規に設置される場合など、未だＩＰ電話番号が登録されていない場合は、勿論このＩＰ電話番号の登録の削除処理は行う必要がない。
【００４０】
次に、ファクシミリ装置１Ａにおいて、前記した、Ｓ１乃至Ｓ３の処理動作が実行され、ＳＩＰサーバ２１に対して、ファクシミリ装置１Ｂに登録されているＩＰ電話番号である「０５０−１１１−２２２２」の登録の要求がなされると（Ｔ２）、当該ＩＰ電話番号はファクシミリ装置１Ｂに登録されているものであることから、ＳＩＰサーバ２１は、他の装置１Ｂに登録されていることによりＩＰ電話番号の登録を認められないことを示す応答をファクシミリ装置１Ａに対して行う（Ｒ２）。この応答を受けたファクシミリ装置１Ａは、ＩＰ電話番号の登録が認められなかった旨の情報を表示部１１に表示することにより報知する（Ｓ６）。
【００４１】
ファクシミリ装置１Ａのユーザは表示部１１に表示された情報を見て、登録を要求したＩＰ電話番号「０５０−１１１−２２２２」が既に他の装置に登録されていることを知る。そして、そのユーザによって、当該ＩＰ電話番号が登録されている装置の位置情報をＳＩＰサーバに要求する処理を開始するための所定操作がなされ、表示部に表示されたＩＰ電話番号のリストからファクシミリ装置１Ｂに登録されているＩＰ電話番号「０５０−１１１−２２２２」が選択されると、ファクシミリ装置１Ａは、選択指定された当該ＩＰ電話番号が登録されたファクシミリ装置１Ｂの位置情報をＳＩＰサーバ２１に要求して（Ｔ３、Ｓ５３）、ＳＩＰサーバ２１からファクシミリ装置１Ｂの位置情報を受信する（Ｒ３）。引き続いて、ファクシミリ装置１Ａのユーザにより、ＩＰ電話番号の変更要求を行うべきことを指定する操作が行われ（Ｓ５７：ＹＥＳ）、更に、Ｓ５８において表示されたＩＰ電話番号のリストからいずれかのＩＰ電話番号が代替候補として選択指定されると（Ｓ５９：ＹＥＳ）、ファクシミリ装置１Ａは、受信した位置情報の装置であるファクシミリ装置１Ｂに対してＩＰ電話番号「０５０−１１１−２２２２」の変更を要求するとともに、ＩＰ電話番号の代替候補、例えば「０５０−１１１−１１１１」を送信する（Ｓ６０、Ｔ４）。
【００４２】
ＩＰ電話番号の変更要求及び代替候補を受信したファクシミリ装置１Ｂは、受信メッセージとして変更要求を受信した旨と代替候補のＩＰ電話番号を表示により出力するとともに、変更要求に応じるか否かを指定する操作をユーザに要求する情報、例えば図４に示すような情報、を表示部１１に表示することにより出力する。そしてファクシミリ装置１Ｂのユーザによって何れかを指定する操作がなされると、ファクシミリ装置１Ｂは、それを受付け、指定された結果の応答メッセージをファクシミリ装置１Ａに対して送信する（Ｒ１０１）。
【００４３】
ファクシミリ装置１Ａは、ファクシミリ装置１Ｂから受信した応答メッセージを表示部１１に表示することにより出力し（Ｓ６２）、これによりファクシミリ装置１Ａのユーザは、ファクシミリ装置１ＢのユーザがＩＰ電話番号の変更要求に応じたことを把握することができる。そして、ファクシミリ装置１Ｂにおいて、ＩＰ電話番号「０５０−１１１−２２２２」の削除処理及び代替候補であるＩＰ電話番号「０５０−１１１−１１１１」の登録処理が行われた後（Ｒ１０２、Ｒ１０３）、ファクシミリ装置１Ａは、当初ファクシミリ装置１Ｂに登録されていたＩＰ電話番号「０５０−１１１−２２２２」の登録をＳＩＰサーバ１Ａに対して要求し（Ｔ５）、当該ＩＰ電話番号の登録を受けることができる。なお、前記Ｒ１０２とＲ１０３を纏めてＩＰ電話番号の変更を要求する１つの処理としてもよい。
【００４４】
以上の説明から明らかなように、本発明の第１の実施の形態に係るファクシミリ装置によれば、ファクシミリ装置１においてリモート操作にて他のファクシミリ装置１に対してＩＰ電話番号の変更を促すとともに代替候補のＩＰ電話番号の提案を行うことができるのでファクシミリ装置１同士でＩＰ電話番号の変更や交換を円滑に行うことができる。勿論、３台以上のファクシミリ装置１間でも同様の利点が得られる。
【００４５】
つぎに、本発明の第２の実施の形態に係るファクシミリ装置について説明する。第２の実施の形態に係るファクシミリ装置は、第１の実施の形態に係るファクシミリ装置１と同様のハードウエア構成及び通信機能を備えるが、後に説明する処理動作を実行する点で相違する。以下、相違点について主に説明し、同様の構成及び処理動作については、図面において同一符号を付して説明を省略する。
【００４６】
第２の実施の形態に係るファクシミリ装置は、図５のフローチャートに示すように、第１の実施の形態で説明した、Ｓ７おいて、その他のＩＰ電話番号の登録を要求しないと判断した場合に（Ｓ７：ＮＯ）、Ｓ２で選択指定されたＩＰ電話番号が登録されている他の装置の位置情報をＳＩＰサーバに対して要求する（Ｓ１０１）。つまり、第２の実施の形態に係るファクシミリ装置によれば、ＩＰ電話番号の登録処理と他のファクシミリ装置へのＩＰ電話番号の変更要求処理が連続して実行されるので、前記Ｓ５１乃至Ｓ５２の処理動作が省略され、ＩＰ電話番号の登録処理及びＩＰ電話番号の変更要求処理の双方を行う場合において、ユーザによる操作の簡略化が図られる。
【００４７】
つぎに、図５のシーケンス図に基づいて、２台のファクシミリ装置１及びＳＩＰサーバ２１間でやり取りされる通信手順を説明する。なお、第２の実施の形態においても、ＩＰ電話番号の変更を要求する側のファクシミリ装置１をファクシミリ装置１Ａ、ＩＰ電話番号の変更を要求される側のファクシミリ装置１をファクシミリ装置１Ｂと称して説明する。
【００４８】
まず、第１の実施の形態において説明した、Ｔ１乃至Ｔ４の手順を経て、ファクシミリ装置１Ａからファクシミリ装置１ＢへＩＰ電話番号の変更要求等が送信される（Ｔ４）。ただし、Ｔ３における位置情報の要求は、上記Ｓ１０１の処理動作によって実行される。
【００４９】
ファクシミリ装置１ＢがＩＰ電話番号の変更要求等を受信すると、変更要求を受信した旨及び代替候補のＩＰ電話番号が、例えば表示部１１に表示されることにより出力され、併せて、変更要求に応じるか否かを指定する操作をユーザに要求する情報が出力される（Ｓ２０１）。これらの出力は、例えば図６に示すような情報、つまり、「他の装置から下記のＩＰ電話番号への変更を要求されています。」、「０５０−１１１−１１１１」、「要求に応じますか」等が表示部１１に表示されることにより行われる。
【００５０】
ファクシミリ装置１ＢのユーザによりＩＰ電話番号の変更要求に応じることを指定する操作（例えば図６の表示部１１に表示されている「はい」の選択）がなされ、ファクシミリ装置１Ｂが当該指定を受付けると（Ｓ２０２：ＹＥＳ）、ファクシミリ装置１Ｂは、ＳＩＰサーバ２１に対して自装置１Ｂに登録されているＩＰ電話番号「０５０−１１１−２２２２」の登録の削除を要求する（Ｓ２０３）。ＳＩＰサーバ２１は、ＳＩＰサーバ２１自身が管理するＩＰ電話番号のテーブルからファクシミリ装置１Ｂに登録しているＩＰ電話番号「０５０−１１１−２２２２」の登録を削除し、ファクシミリ装置１Ｂに対して、登録の削除処理が完了した旨の情報を通知する。
【００５１】
続いて、ファクシミリ装置１Ｂは、ＳＩＰサーバ２１に対して、ファクシミリ装置１Ａから代替候補として提示されたＩＰ電話番号「０５０−１１１−１１１１」の登録の要求を行う（Ｓ２０４）。そして、ＳＩＰサーバ２１からその登録の完了通知を受信した後、ファクシミリ装置１Ａに対して変更要求に対する応答として、ＩＰ電話番号の変更が完了した旨の通知を行う（Ｓ２０５）。なお、前記Ｓ２０３とＳ２０４の処理を纏めて、ＩＰ電話番号の変更を要求する１つの処理としてもよい。
【００５２】
一方、前記Ｓ２０２において、ＩＰ電話番号の変更要求に応じないことを指定する操作（例えば図６の表示部１１に表示されている「いいえ」の選択）がなされた場合は（Ｓ２０２：ＮＯ）、ファクシミリ装置１Ａに対して変更要求に対する応答として、ＩＰ電話番号の変更に応じない旨の通知を行う（Ｓ２０６）。
【００５３】
図５のフローチャートに示すように、ファクシミリ装置１Ａは、ファクシミリ装置１Ｂから変更要求に対する応答を受信し（Ｓ６１：ＹＥＳ）、その内容がＩＰ電話番号の変更が完了した旨の通知である場合は（Ｓ１０２：ＹＥＳ）、前記Ｓ３へ処理を移行して、再度ＳＩＰサーバ２１に対して、ＩＰ電話番号「０５０−１１１−２２２２」の登録要求処理を行って（Ｔ５、Ｓ３）、当該ＩＰ電話番号の登録を受ける。一方、ファクシミリ装置１Ｂから変更要求に対する応答を受信し（Ｓ６１：ＹＥＳ）、その内容がＩＰ電話番号の変更に応じない旨の通知である場合は（Ｓ１０２：ＮＯ）、一連の処理動作を終了する。
【００５４】
以上の説明から明らかなように、本発明の第２の実施の形態に係るファクシミリ装置によれば、ファクシミリ装置１Ｂが変更要求を受信した場合に、変更要求に応じる操作がユーザにより行われれば、自動的に、ファクシミリ装置１Ｂは、自装置１ＢのＩＰ電話番号を代替ＩＰ電話番号へ変更するための処理動作を実行する。そして、変更処理完了後、その旨がファクシミリ装置１Ａに通知され、これを受けたファクシミリ装置１Ａが、当初ファクシミリ装置１Ｂに登録されていたＩＰ電話番号の登録を受けるための処理動作を自動的に実行する。この結果、第１の実施の形態に係るファクシミリ装置より更にユーザの操作の簡略化が図られる。
【００５５】
なお、以上説明した第１及び第２の実施の形態において、ＩＰ電話番号は、アカウント情報の１つを例に挙げて説明したものである。したがって、本発明の実施の形態におけるＩＰ電話番号を、その他のアカウント情報に置換えて実施するようにしてもよい。
【産業上の利用可能性】
【００５６】
本発明は、呼制御プロトコルを利用して、データ通信を行う通信装置、例えばＩＰ電話機、ＩＰファクシミリ装置等に適用することができる。
【図面の簡単な説明】
【００５７】
【図１】本発明の実施の形態に係るファクシミリ装置（通信装置）の構成例等を示した図である。
【図２】本発明の第１の実施の形態に係るファクシミリ装置（通信装置）がＩＰ電話番号（アカウント）の登録処理を実行する際の処理動作を示したフローチャートである。
【図３】本発明の第１の実施の形態に係るファクシミリ装置（通信装置）が他のファクシミリ装置（通信装置）にＩＰ電話番号（アカウント）の変更要求処理を実行する際の処理動作を示したフローチャートである。
【図４】本発明の第１の実施の形態に係るファクシミリ装置（通信装置）が他のファクシミリ装置（通信装置）にＩＰ電話番号（アカウント）の変更要求処理を実行する際の手順例等を示したシーケンス図である。
【図５】本発明の第２の実施の形態に係るファクシミリ装置（通信装置）がＩＰ電話番号（アカウント）の登録処理、及び、他のファクシミリ装置（通信装置）にＩＰ電話番号（アカウント）の変更要求処理を実行する際の処理動作を示したフローチャートである。
【図６】本発明の第２の実施の形態に係るファクシミリ装置（通信装置）が他のファクシミリ装置（通信装置）にＩＰ電話番号（アカウント）の変更要求処理を実行する際の手順例等を示したシーケンス図である。
【符号の説明】
【００５８】
１、１Ａ、１Ｂ    ファクシミリ装置（通信装置）
２    ＣＰＵ
３    ＲＯＭ
４    ＲＡＭ
１１    表示部
１２    操作部
２１  ＳＩＰサーバ
【図１】
2006100967.tif 000003
【図２】
2006100967.tif 000004
【図３】
2006100967.tif 000005
【図４】
2006100967.tif 000006
【図５】
2006100967.tif 000007
【図６】
2006100967.tif 000008